(57)【特許請求の範囲】
【請求項１】
パンチが、プレス金型に取付けられるリテーナにその軸心方向に摺動自在に保持されると共に、スプリングによって該リテーナからの突出長さが短くされた打抜不能位置に向けて付勢され、
パンチの基端面側に配置されたセレクトバーの往復動に応じてパンチのリテーナからの突出長さを変更することにより、パンチの打抜可能位置と打抜不能位置とを切換えるようにしたプレス金型におけるパンチ保持装置において、
前記リテーナが、リテーナ本体と該リテーナ本体の上面に固定されるバッキングプレ−トとを有し、
前記バッキングプレ−トを前記リテーナ本体から取外した状態で、パンチと該パンチに設けられた前記スプリング用ばね座部材とが該リテーナ本体の上面側から取外し、取付けられるようにされ、
前記セレクトバーを摺動案内するガイド溝が、前記リテーナ本体の上面に開口するようにして該リテーナ本体に形成され、
前記セレクトバーを往復駆動するためのアクチュエ−タが、前記リテーナ本体に固定され、
前記セレクトバーの基端部が、前記アクチュエ−タの駆動軸に対して、パンチの軸心方向から係脱可能として連結され、
前記アクチュエ−タによって前記セレクトバーが所定の退出位置とされて前記パンチが打抜不能位置とされたとき、該セレクトバーが、パンチ軸心方向において前記ばね座部材の延長軌跡内に位置するように設定され、
前記バッキングプレ−トを前記リテーナ本体から取外した状態で、前記セレクトバーを全体的に上方へ変位させることによって、該セレクトバーが前記アクチュエ−タの駆動軸に対する係合、連結が解除されて該リテーナ本体から取外し可能とされ、
前記セレクトバーと前記アクチュエ−タの駆動軸とが、パンチ軸心方向に伸びるピン部材を利用して、パンチ軸心方向において係脱可能として連結されると共に、該セレクトバーの往復動方向に若干の遊びを有するように連結されて、該アクチュエ−タによって該セレクトバーを打抜可能位置となるように進出方向に押圧したとき、前記ピン部材には該押圧の力が作用しないようにされている、
ことを特徴とするプレス金型におけるパンチ保持装置。
【請求項２】
パンチが、プレス金型に取付けられるリテーナにその軸心方向に摺動自在に保持されると共に、スプリングによって該リテーナからの突出長さが短くされた打抜不能位置に向けて付勢され、
パンチの基端面側に配置されたセレクトバーの往復動に応じてパンチのリテーナからの突出長さを変更することにより、パンチの打抜可能位置と打抜不能位置とを切換えるようにしたプレス金型におけるパンチ保持装置において、
前記リテーナが、リテーナ本体と該リテーナ本体の上面に固定されるバッキングプレ−トとを有し、
前記バッキングプレ−トを前記リテーナ本体から取外した状態で、パンチと該パンチに設けられた前記スプリング用ばね座部材とが該リテーナ本体の上面側から取外し、取付けられるようにされ、
前記セレクトバーを摺動案内するガイド溝が、前記リテーナ本体の上面に開口するようにして該リテーナ本体に形成され、
前記セレクトバーを往復駆動するためのアクチュエ−タが、前記リテーナ本体に固定され、
前記セレクトバーの基端部が、前記アクチュエ−タの駆動軸に対して、パンチの軸心方向から係脱可能として連結され、
前記アクチュエ−タによって前記セレクトバーが所定の退出位置とされて前記パンチが打抜不能位置とされたとき、該セレクトバーが、パンチ軸心方向において前記ばね座部材の延長軌跡内に位置するように設定され、
前記バッキングプレ−トを前記リテーナ本体から取外した状態で、前記セレクトバーを全体的に上方へ変位させることによって、該セレクトバーが前記アクチュエ−タの駆動軸に対する係合、連結が解除されて該リテーナ本体から取外し可能とされ、
前記駆動軸側に、パンチ軸心方向に伸びるピン部材が固定され、
前記セレクトバーの基端部に、前記ピン部材がパンチ軸心方向から係脱される連結孔が設けられている、
ことを特徴とするプレス金型におけるパンチ保持装置。
【請求項３】
パンチが、プレス金型に取付けられるリテーナにその軸心方向に摺動自在に保持されると共に、スプリングによって該リテーナからの突出長さが短くされた打抜不能位置に向けて付勢され、
パンチの基端面側に配置されたセレクトバーの往復動に応じてパンチのリテーナからの突出長さを変更することにより、パンチの打抜可能位置と打抜不能位置とを切換えるようにしたプレス金型におけるパンチ保持装置において、
前記リテーナが、リテーナ本体と該リテーナ本体の上面に固定されるバッキングプレ−トとを有し、
前記バッキングプレ−トを前記リテーナ本体から取外した状態で、パンチと該パンチに設けられた前記スプリング用ばね座部材とが該リテーナ本体の上面側から取外し、取付けられるようにされ、
前記セレクトバーを摺動案内するガイド溝が、前記リテーナ本体の上面に開口するようにして該リテーナ本体に形成され、
前記セレクトバーを往復駆動するためのアクチュエ−タが、前記リテーナ本体に固定され、
前記セレクトバーの基端部が、前記アクチュエ−タの駆動軸に対して、パンチの軸心方向から係脱可能として連結され、
前記アクチュエ−タによって前記セレクトバーが所定の退出位置とされて前記パンチが打抜不能位置とされたとき、該セレクトバーが、パンチ軸心方向において前記ばね座部材の延長軌跡内に位置するように設定され、
前記バッキングプレ−トを前記リテーナ本体から取外した状態で、前記セレクトバーを全体的に上方へ変位させることによって、該セレクトバーが前記アクチュエ−タの駆動軸に対する係合、連結が解除されて該リテーナ本体から取外し可能とされ、
前記駆動軸の先端面に、前記セレクトバーの往復動方向に短く伸びる連結部材が固定され、
前記セレクトバーの基端部上部に、前記連結部材の上方に位置するように突起部が形成され、
前記連結部材の先端部と前記突起部とにそれぞれ、パンチ軸心方向に伸びる連結孔が形成され、
前記各連結孔の一方にパンチ軸心方向に伸びるピン部材の一端部がきつく嵌合されると共に、他方に該ピン部材の他端部が係脱可能となるように緩く嵌合されている、
ことを特徴とするプレス金型におけるパンチ保持装置。
【請求項４】
請求項３において、
前記他方の連結孔が前記ピン部材よりも前記セレクトバーの長手方向に若干大きく形成されて、前記アクチュエ−タによって該セレクトバーを打抜可能位置となるように進出方向に押圧したとき、該セレクトバーが前記連結部材の先端面から直接アクチュエ−タの押圧力を受けて、該ピン部材には押圧の力が作用しないようにされている、ことを特徴とするプレス金型におけるパンチ保持装置。
【請求項５】
パンチが、プレス金型に取付けられるリテーナにその軸心方向に摺動自在に保持されると共に、スプリングによって該リテーナからの突出長さが短くされた打抜不能位置に向けて付勢され、
パンチの基端面側に配置されたセレクトバーの往復動に応じてパンチのリテーナからの突出長さを変更することにより、パンチの打抜可能位置と打抜不能位置とを切換えるようにしたプレス金型におけるパンチ保持装置において、
前記リテーナが、リテーナ本体と該リテーナ本体の上面に固定されるバッキングプレ−トとを有し、
前記バッキングプレ−トを前記リテーナ本体から取外した状態で、パンチと該パンチに設けられた前記スプリング用ばね座部材とが該リテーナ本体の上面側から取外し、取付けられるようにされ、
前記セレクトバーを摺動案内するガイド溝が、前記リテーナ本体の上面に開口するようにして該リテーナ本体に形成され、
前記セレクトバーを往復駆動するためのアクチュエ−タが、前記リテーナ本体に固定され、
前記セレクトバーの基端部が、前記アクチュエ−タの駆動軸に対して、該セレクトバーの先端が上方へ向う方向に揺動可能として連結され、
前記アクチュエ−タによって前記セレクトバーが所定の退出位置とされて前記パンチが打抜不能位置とされたとき、該セレクトバーが、パンチ軸心方向において前記ばね座部材の延長軌跡内に位置するように設定され、
前記バッキングプレ−トを前記リテーナ本体から取外した状態で、前記セレクトバーをその先端が上方へ向うように揺動させることによって、該セレクトバーがパンチ軸心方向において前記ばね座部材の延長軌跡から外れるようにされている、
ことを特徴とするプレス金型におけるパンチ保持装置。
【請求項６】
請求項５において、
前記セレクトバーと前記アクチュエ−タの駆動軸とが、ピン部材を利用して該セレクトバーの先端が上方へ向う方向に揺動可能として連結されると共に、該セレクトバーの往復動方向に若干の遊びを有するように連結されて、該アクチュエ−タによって該セレクトバーを打抜可能位置となるように進出方向に押圧したとき、前記ピン部材には該押圧の力が作用しないようにされている、ことを特徴とするプレス金型におけるパンチ保持装置。
【請求項７】
請求項５において、
前記駆動軸の先端面に、前記セレクトバーの往復動方向に短く伸びる連結部材が固定され、
前記セレクトバーの基端部と前記連結部材の先端部とが、ピン部材によって、該セレクトバーの先端が上方へ向う方向に揺動可能として連結されると共に、該セレクトバーの往復動方向に若干の遊びを有するように連結されて、該アクチュエ−タによって該セレクトバーを打抜可能位置となるように進出方向に押圧したとき、該セレクトバーが前記連結部材の先端面から直接アクチュエ−タの押圧力を受けて、該ピン部材には押圧の力が作用しないようにされている、ことを特徴とするプレス金型におけるパンチ保持装置。
【発明の詳細な説明】
【０００１】
【発明の属する技術分野】
本発明は、セレクトバーをアクチュエ−タによって往復動させることによってパンチを打抜可能位置と打抜不能位置とに切換えるようにしたプレス金型におけるパンチ保持装置に関するものである。
【０００２】
【従来の技術】
プレス金型におけるパンチ保持装置の中には、パンチを打抜可能位置と打抜不能位置とに切換えることのできるようにしたものがある。すなわち、パンチが、プレス金型に取付けられるリテーナにその軸心方向に摺動自在に保持されると共に、スプリングによって該リテーナからの突出長さが短くされた打抜不能位置に向けて付勢されて、パンチの基端面側に配置されたセレクトバーを往復動させることによってパンチのリテーナからの突出長さを変更することにより、パンチの打抜可能位置と打抜不能位置とを切換えるようにしたものがある（例えば実公平３−４４１２号公報、実公平４−２１６０９号公報、実開昭５５−２３２８３号公報参照）。そして、リテーナは、通常、パンチやセレクトバーさらにはアクチュエ−タを保持したリテーナ本体と、該リテーナ本体の上面に固定されるバッキングプレ−トに分割可能な構成されているいるのが通常である。
【０００３】
【発明が解決しようとする課題】
ところで、最近では、パンチ保持装置の小型化、特にをセレクトバーの往復動方向の長さを極力短くすることが望まれている。このような要求を満足する１つの手法として、セレクトバーの往復動の変位量を小さくすること、つまりリテーナに固定されたアクチュエ−タを短いものとすることが考えられる。
【０００４】
一方、パンチ交換等の際、パンチやこれに設けられたばね座部材は、バッキングプレ−トをリテーナ本体から取外した状態で、リテーナ本体の上面側から、当該リテーナ本体に対する取付、取外しが行われることになる。この場合、パンチ軸心方向において、パンチは勿論のことパンチよりも大径となるばね座部材の延長軌跡内にセレクトバーが位置すると、セレクトバーが邪魔になって、パンチやばね座部材をリテーナ本体の上面側から取外したり、取付けることが不可能となる。つまり、セレクトバーは、打抜不能位置に対応した所定退出位置では、パンチ軸心方向におけるばね座部材の延長軌跡から外れるように設定することが要求され、このような要求から、セレクトバーの必要な往復変位量を小さくするには限界があった。なお、セレクトバーをアクチュエ−タと共にリテーナ本体から取外せば問題はないが、この場合は、本来取外さなくてもよいアクチュエ−タを一々取外して、その後再度アクチュエ−タを取付けるという余計な手間が必要になる。
【０００５】
本発明は以上のような事情を勘案してなされたもので、セレクトバーの往復量を小さいものとしてセレクトバー往復方向の長さをより短いものとしつつ、アクチュエ−タを一々取外すことなくパンチやばね座部材をリテーナ本体上面側から取外し、取付けできるようにしたプレス金型におけるパンチ保持装置を提供することにある。
【０００６】
【課題を解決するための手段】
前記目的を達成するため、本発明はその第１の解決手法として次のようにしてある。すなわち、特許請求の範囲における請求項１に記載のように、
パンチが、プレス金型に取付けられるリテーナにその軸心方向に摺動自在に保持されると共に、スプリングによって該リテーナからの突出長さが短くされた打抜不能位置に向けて付勢され、
パンチの基端面側に配置されたセレクトバーの往復動に応じてパンチのリテーナからの突出長さを変更することにより、パンチの打抜可能位置と打抜不能位置とを切換えるようにしたプレス金型におけるパンチ保持装置において、
前記リテーナが、リテーナ本体と該リテーナ本体の上面に固定されるバッキングプレ−トとを有し、
前記バッキングプレ−トを前記リテーナ本体から取外した状態で、パンチと該パンチに設けられた前記スプリング用ばね座部材とが該リテーナ本体の上面側から取外し、取付けられるようにされ、
前記セレクトバーを摺動案内するガイド溝が、前記リテーナ本体の上面に開口するようにして該リテーナ本体に形成され、
前記セレクトバーを往復駆動するためのアクチュエ−タが、前記リテーナ本体に固定され、
前記セレクトバーの基端部が、前記アクチュエ−タの駆動軸に対して、パンチの軸心方向から係脱可能として連結され、
前記アクチュエ−タによって前記セレクトバーが所定の退出位置とされて前記パンチが打抜不能位置とされたとき、該セレクトバーが、パンチ軸心方向において前記ばね座部材の延長軌跡内に位置するように設定され、
前記バッキングプレ−トを前記リテーナ本体から取外した状態で、前記セレクトバーを全体的に上方へ変位させることによって、該セレクトバーが前記アクチュエ−タの駆動軸に対する係合、連結が解除されて該リテーナ本体から取外し可能とされ、
前記セレクトバーと前記アクチュエ−タの駆動軸とが、パンチ軸心方向に伸びるピン部材を利用して、パンチ軸心方向において係脱可能として連結されると共に、該セレクトバーの往復動方向に若干の遊びを有するように連結されて、該アクチュエ−タによって該セレクトバーを打抜可能位置となるように進出方向に押圧したとき、前記ピン部材には該押圧の力が作用しないようにされている、
ようにしてある。
【０００７】
前記目的を達成するため、本発明はその第２の解決手法として次のようにしてある。すなわち、特許請求の範囲における請求項２に記載のように、
パンチが、プレス金型に取付けられるリテーナにその軸心方向に摺動自在に保持されると共に、スプリングによって該リテーナからの突出長さが短くされた打抜不能位置に向けて付勢され、
パンチの基端面側に配置されたセレクトバーの往復動に応じてパンチのリテーナからの突出長さを変更することにより、パンチの打抜可能位置と打抜不能位置とを切換えるようにしたプレス金型におけるパンチ保持装置において、
前記リテーナが、リテーナ本体と該リテーナ本体の上面に固定されるバッキングプレ−トとを有し、
前記バッキングプレ−トを前記リテーナ本体から取外した状態で、パンチと該パンチに設けられた前記スプリング用ばね座部材とが該リテーナ本体の上面側から取外し、取付けられるようにされ、
前記セレクトバーを摺動案内するガイド溝が、前記リテーナ本体の上面に開口するようにして該リテーナ本体に形成され、
前記セレクトバーを往復駆動するためのアクチュエ−タが、前記リテーナ本体に固定され、
前記セレクトバーの基端部が、前記アクチュエ−タの駆動軸に対して、パンチの軸心方向から係脱可能として連結され、
前記アクチュエ−タによって前記セレクトバーが所定の退出位置とされて前記パンチが打抜不能位置とされたとき、該セレクトバーが、パンチ軸心方向において前記ばね座部材の延長軌跡内に位置するように設定され、
前記バッキングプレ−トを前記リテーナ本体から取外した状態で、前記セレクトバーを全体的に上方へ変位させることによって、該セレクトバーが前記アクチュエ−タの駆動軸に対する係合、連結が解除されて該リテーナ本体から取外し可能とされ、
前記駆動軸側に、パンチ軸心方向に伸びるピン部材が固定され、
前記セレクトバーの基端部に、前記ピン部材がパンチ軸心方向から係脱される連結孔が設けられている、
ようにしてある。
【０００８】
前記目的を達成するため、本発明はその第３の解決手法として次のようにしてある。すなわち、特許請求の範囲における請求項３に記載のように、
パンチが、プレス金型に取付けられるリテーナにその軸心方向に摺動自在に保持されると共に、スプリングによって該リテーナからの突出長さが短くされた打抜不能位置に向けて付勢され、
パンチの基端面側に配置されたセレクトバーの往復動に応じてパンチのリテーナからの突出長さを変更することにより、パンチの打抜可能位置と打抜不能位置とを切換えるようにしたプレス金型におけるパンチ保持装置において、
前記リテーナが、リテーナ本体と該リテーナ本体の上面に固定されるバッキングプレ−トとを有し、
前記バッキングプレ−トを前記リテーナ本体から取外した状態で、パンチと該パンチに設けられた前記スプリング用ばね座部材とが該リテーナ本体の上面側から取外し、取付けられるようにされ、
前記セレクトバーを摺動案内するガイド溝が、前記リテーナ本体の上面に開口するようにして該リテーナ本体に形成され、
前記セレクトバーを往復駆動するためのアクチュエ−タが、前記リテーナ本体に固定され、
前記セレクトバーの基端部が、前記アクチュエ−タの駆動軸に対して、パンチの軸心方向から係脱可能として連結され、
前記アクチュエ−タによって前記セレクトバーが所定の退出位置とされて前記パンチが打抜不能位置とされたとき、該セレクトバーが、パンチ軸心方向において前記ばね座部材の延長軌跡内に位置するように設定され、
前記バッキングプレ−トを前記リテーナ本体から取外した状態で、前記セレクトバーを全体的に上方へ変位させることによって、該セレクトバーが前記アクチュエ−タの駆動軸に対する係合、連結が解除されて該リテーナ本体から取外し可能とされ、
前記駆動軸の先端面に、前記セレクトバーの往復動方向に短く伸びる連結部材が固定され、
前記セレクトバーの基端部上部に、前記連結部材の上方に位置するように突起部が形成され、
前記連結部材の先端部と前記突起部とにそれぞれ、パンチ軸心方向に伸びる連結孔が形成され、
前記各連結孔の一方にパンチ軸心方向に伸びるピン部材の一端部がきつく嵌合されると共に、他方に該ピン部材の他端部が係脱可能となるように緩く嵌合されている、
ようにしてある。
【０００９】
前記目的を達成するため、本発明はその第４の解決手法として次のようにしてある。すなわち、特許請求の範囲における請求項５に記載のように、
パンチが、プレス金型に取付けられるリテーナにその軸心方向に摺動自在に保持されると共に、スプリングによって該リテーナからの突出長さが短くされた打抜不能位置に向けて付勢され、
パンチの基端面側に配置されたセレクトバーの往復動に応じてパンチのリテーナからの突出長さを変更することにより、パンチの打抜可能位置と打抜不能位置とを切換えるようにしたプレス金型におけるパンチ保持装置において、
前記リテーナが、リテーナ本体と該リテーナ本体の上面に固定されるバッキングプレ−トとを有し、
前記バッキングプレ−トを前記リテーナ本体から取外した状態で、パンチと該パンチに設けられた前記スプリング用ばね座部材とが該リテーナ本体の上面側から取外し、取付けられるようにされ、
前記セレクトバーを摺動案内するガイド溝が、前記リテーナ本体の上面に開口するようにして該リテーナ本体に形成され、
前記セレクトバーを往復駆動するためのアクチュエ−タが、前記リテーナ本体に固定され、
前記セレクトバーの基端部が、前記アクチュエ−タの駆動軸に対して、該セレクトバーの先端が上方へ向う方向に揺動可能として連結され、
前記アクチュエ−タによって前記セレクトバーが所定の退出位置とされて前記パンチが打抜不能位置とされたとき、該セレクトバーが、パンチ軸心方向において前記ばね座部材の延長軌跡内に位置するように設定され、
前記バッキングプレ−トを前記リテーナ本体から取外した状態で、前記セレクトバーをその先端が上方へ向うように揺動させることによって、該セレクトバーがパンチ軸心方向において前記ばね座部材の延長軌跡から外れるようにされている、
ようにしてある。上記解決手法を前提とした好ましい態様は、特許請求の範囲における請求項６以下に記載のとおりである。
【００１０】
【発明の効果】
請求項１によれば、パンチ打抜不能位置となるセレクトバーの所定退出位置では、セレクトバーがパンチ軸心方向においてばね座部材の延長軌跡内に位置されるように設定されているので、つまりセレクトバーの退出量が小さくなるようにしてあるので、この分アクチュエ−タも小さくでき、全体としてセレクトバーの往復方向の長さを十分小さくすることができる。また、パンチやばね座部材のリテーナ本体からの取外しや取付けのときには、バッキングプレ−トを取外してセレクトバーのみをリテーナ本体から取外せばよくて、アクチュエ−タそのものはリテーナ本体に固定したままでよく、作業性の点でも何等問題ないものとなる、という基本的な効果を奏する。
以上に加えて、請求項１によれば、ピン部材を利用してセレクトバーとアクチュエ−タ駆動軸との係脱可能な連結を確保しつつ、大きな力を要するセレクトバーの打抜可能位置に対応した進出方向へ押圧するときに、ピン部材に無理な力が作用するのを防止することができるという特有の効果を奏する。
【００１１】
請求項２によれば、請求項１における基本的な効果に加えて、セレクトバーを取外すときに、ピン部材はリテーナ本体側に残るので、取外すべき部材を極力少なくしつつ、ピン部材を不用意になくしてしまうという事態を防止する上で好ましいものとなるという特有の効果を奏する。
【００１２】
請求項３によれば、請求項１における基本的な効果に加えて、連結部材を利用することにより、セレクトバーと駆動軸との係脱可能な連結構造の採択が容易となるという特有の効果を奏する。
請求項４によれば、請求項１に特有の効果と同様の効果を得ることができる。
【００１３】
請求項５によれば、パンチ打抜不能位置となるセレクトバーの所定退出位置では、セレクトバーがパンチ軸心方向においてばね座部材の延長軌跡内に位置されるように設定されているので、つまりセレクトバーの退出量が小さくなるようにしてあるので、この分アクチュエ−タも小さくでき、全体としてセレクトバーの往復方向の長さを十分小さくすることができる。また、パンチやばね座部材のリテーナ本体からの取外しや取付けのときには、バッキングプレ−トを取外してセレクトバーをその先端が上方へ向うように揺動させるだけで、アクチュエ−タそのものはリテーナ本体に固定したままでよく、作業性の点でも何等問題ないものとなる。さらに、セレクトバーはアクチュエ−タに連結されたまま、つまりリテーナ本体に保持されたままとなるので、その脱落や紛失を防止する上で好ましいものとなる。
請求項６によれば、請求項１における特有の効果と同様の効果を得ることができる。
請求項７によれば、連結部材を利用することにより、セレクトバーと駆動軸との揺動可能な連結構造の採択が容易となる他、請求項１における特有の効果と同様の効果を得ることができる。
【００１４】
【発明の実施の形態】
図１において、１はプレス金型の上金型であり、この上金型１には、リテーナ２を介してパンチ３が保持されている。リテーナ２は、リテーナ本体４とバッキングプレ−ト５とサイドプレ−ト６との分割構成とされ、これ等４〜６は、ボルトによって互いに一体化されている。
【００１５】
リテーナ本体４には、上下方向に伸びるガイド孔７が形成されて、ガイド孔７の上方部分は、当該ガイド孔７が連通されると共にリテーナ本体４上面に開口された収納空間８とされ、この収納空間８はバッキングプレ−ト５によって施蓋されている。パンチ３は、ガイド孔７に摺動される部分が中間軸部３ａとされ、中間軸部３ａより先端側が打抜加工部３ｂとされ、中間軸部３ａよりも上部が当該中間軸部３ａよりも若干大径とされた大径頭部３ｃとされている。そして、ガイド孔７、中間軸部３ａおよび大径頭部３ｃはそれぞれ断面円形とされているが、打抜加工部３ｂの断面形状は例えば略長方形等の異形状（図４〜図６参照）とされている。
【００１６】
パンチ３の中間軸部３ａには、収納空間８内に位置させてばね座部材９ががたつきなく嵌合されて（中間嵌めで、小さい外力では相対変位不能）、大径頭部３ｃによってその抜け止めがなされている。リテーナ本体４には、収納空間８の底壁に開口するように、上下方向に伸びるばね収納凹部１０が、パンチ３の周方向略等間隔に複数（実施形態で３個）形成されている。各ばね収納凹部１０内に配置されたリタ−ンスプリング１１の上端部が、ばね座部材９の下面に当接され、これによりパンチ３は常時上方へ向けて付勢されている。
【００１７】
リテーナ本体４およびサイドプレ−ト６の上面には、パンチの略直径方向に伸ばしてかつ収納空間８に連通するように細長くガイド溝１２が形成され、このガイド溝１２もバッキングプレ−ト５によって施蓋されている。ガイド溝１２内には、セレクトバー（移動バッキングプレ−トとも称される）１３が摺動自在に嵌合されている。セレクトバー１３の先端部下面は、パンチ３の軸心方向において、上方に向うにつれたパンチ３の大径頭部３ｃから離れるように傾斜されたテーパ状の傾斜面１３ａが形成されている。
【００１８】
セレクトバー１３の基端部は、後述する連結機構１４を介して、アクチュエ−タとしてのシリンダ装置（例えばエア式あるいは油圧式）１５の駆動軸１５ａに連結されている。シリンダ装置１５は、サイドプレ−ト６に対してボルト１６によって固定されている。
【００１９】
前記ばね座部材９は、図７、図８に示すような形状とされている。すなわち、ばね座部材９は、薄い板状の第１部分９ａと、第１部分９ａの一側方上面よりも上方へ隆起された厚肉の第２部分９ｂとを有し、第１部分９ａに、パンチ３の中間軸部３ａが挿入される貫通孔９ｃが形成されている。そして、第２部分９ｂにおける貫通孔９ｃ側の側面には、パンチ３の軸心と平行に伸びる第２平坦面部９ｄが形成されている。なお、このような第１部分９ａと第２部分９ｂとを有するばね座部材９は、第２部分９ｂに相当する厚さを有する金属板、例えば鉄板の上面を、第１部分９ａに相当する部分のみ機械加工によって削り加工することにより得られ、このとき、第２平坦面部９ｄを同時に形成することができる。なお、貫通孔９ｃの形成は、第１部分９ａと第２部分９ｂとを形成する前あるいは後に形成することができる。
【００２０】
上記第２平坦面部９ｄに対応して、パンチ３の大径頭部３ｃの側面には、部分的に面取りすることにより、パンチ３の軸心と平行に伸びる第１平坦面部３ｄが形成されている。上記各平坦面部３ｄと９ｄとが整合するように、ばね座部材９を、その第１部分９ａが大径頭部３ｃ下面に当接するまで嵌合させると、各平坦面部ｄと９ｄとの当接関係によって、ばね座部材９のパンチ３に対する周方向の位置決めが行われることになる。
【００２１】
ばね座部材９のうち、第２部分９ｂには、その一部を切り欠くことにより、パンチ３の軸心と平行に伸びる位置決め用凹部（切欠部）９ｅが形成されている。一方、リテーナ本体４には、位置決め用凹部９ｅに対応して、位置決め用凸部としての位置決め用ピン１７が固定されている。この位置決め用ピン１７は、パンチ３の軸心と平行ののびており、収納空間８の底壁に開口するようにリテーナ本体４に形成された取付孔１８に圧入されている。
【００２２】
位置決め用ピン１７の直径は、位置決め用凹部９ｅに対してパンチ３周方向にがたつきなく嵌合する大きさとされている。図９に示すように、位置決め用凹部９ｅは、図１、図２、図１６に示すような所定の組付状態において、位置決め用ピン１７に対して、パンチ３の軸心側において隙間Ｌを有するようにされている。より具体的には、位置決め用凹部９ｅの奥部内面は、中心Ｏ１を中心とする円弧状に形成されているが、所定の組付状態において、位置決め用ピン１７の中心Ｏ２よりもＯ１の方がパンチ３の軸心側に若干オフセットされた位置となるように設定されている。
【００２３】
前記連結機構１４について、図１０〜図１６R>６を参照しつつ説明する。まず、セレクトバー１３の基端部には、その上部部分から後方つまりシリンダ装置１５側へ向けて突出する突起部１３ｂが形成されて、この突起部１３ｂに、パンチ軸心方向に伸びる連結孔２１が形成されている。一方、シリンダ装置１５の駆動軸１５ａ先端面には、連結部材２２のねじ部２２ａが螺合、固定されている。この連結部材２２の先端部分には、パンチ軸心方向に伸びる取付孔（連結孔）２３が形成され、取付孔２３に、連結ピン（ピン部材）２４の下端部が圧入等により固定されている。この連結ピン２４の上端部は、セレクトバー１３に形成された前記連結孔２１内に緩く嵌合されている（図１５参照）。これにより、セレクトバー１３は、バッキングプレ−ト５がリテーナ本体４から取り外された状態において、連結ピン２４から引き抜くように上方へ変位させることによって、リテーナ本体４から取り外すことが可能となっている（図１６一点鎖線参照）。
【００２４】
図１の組付完了状態において、シリンダ装置１５の駆動軸１５ａを前進させて、セレクトバー１３をパンチ３の大径頭部３ｂ背面に進出させることによって、パンチ３のリテーナ２からの突出長さが長くされた打抜可能位置とされる。図１の状態から、シリンダ装置１５を縮長させてセレクトバー１３をパンチ３の大径頭部３ｂ背面から退出させると（セレクトバー１３の退出位置は図１６参照）、パンチ３は、スプリング１１によって上方へ変位、つまりリテーナ２からの突出長さが短くされて、打抜不能位置とされる。
【００２５】
図１６に示すような打抜不能位置とするとき、セレクトバー１３は、パンチ３の大径頭部３ｃの延長軌跡よりも退出されるが、ばね座部材１０の延長軌跡内に位置するようにされる。すなわち、リテーナ２を上金型１から取り外すと共にバッキングプレ−ト５をリテーナ本体４から取り外して、パンチ３とばね座部材９とをリテーナ本体４から上方へ向けて引き抜くとき、このままではセレクトバー１３に対してばね座部材９が干渉してしまう関係となっている。しかしながら、セレクトバー１３を、図１６一点鎖線で示すように上方へ取り外すことにより、パンチ３はばね座部材９と共に、セレクトバー１３に邪魔されることなくリテーナ本体４から上方へ引き抜くことが可能となる。なお、セレクトバー１３の退出位置を、ばね座部材９と干渉しない位置にまで十分後方へ後退させるようにすることもできるが、この場合は、セレクトバー１３の必要な変位量が大きくなって、つまりシリンダ装置１５がその軸線方向に長い大型となって、図１左右方向での長さが大きくなってしまうことになる。
【００２６】
パンチ３をリテーナ２に組み付けて上金型１に取付けるには、まず、ばね座部材９をパンチ３に対して、各平坦面部３ｄと９ｄとが整合（当接）された状態で嵌合させたものを用意する。図１の状態からバッキングプレ−ト５やセレクトバー１３が取り外されたリテーナ本体４に対して、ばね座部材９が嵌合されたパンチ３を、その打抜加工部３ｂ側からガイド孔７へ挿入していく。パンチ３のガイド孔７への嵌合が進行すると、やがてばね座部材９がスプリング１１からの付勢力を受ける状態になると共に、位置決め用凹部９ｅが位置決め用ピン１７に嵌合された状態となる。このとき、図９に示す隙間Ｌの設定により、位置決め用凹部９ｅと位置決め用ピン１７との嵌合がスム−ズに行われる。
【００２７】
この後、連結孔２１を連結ピン２４に嵌合させつつ、セレクトバー１３をガイド溝１２内に位置させる。この後は、バッキングプレ−ト５をリテーナ本体４に固定し、その後リテーナ本体４を上金型１に固定すればよい。パンチ３のリテーナ２からの取り外しは、前述したのと逆の手順で行えばよい。
【００２８】
ここで、シリンダ装置１５によってセレクトバー１３を打抜可能位置へ向けて押圧するときは、打抜不能位置へ向けてセレクトバー１３を退出させるときよりも大きな力を要することになる。連結ピン２４に対して、打抜可能位置選択のときの大きな力が作用しないようにするため、例えばセレクトバー１３に形成された連結孔２１を、連結ピン２４の直径よりもセレクトバー１３の長手方向に若干大きく設定して（大きな寸法分が、図１５において符合Ｌ２で示される）、セレクトバー１３を打抜可能位置へ向けて押圧するときは、連結部材２２によって直接セレクトバー１３を押圧するようにするのが好ましい（連結ピン２４には、打抜可能位置へ向けての押圧力が作用しない）。このため、連結部材２２の先端部が、連結孔２１の下方に進出できるように、当該連結孔２１が形成された突起部１３ｂの下方には、連結部材２２の先端部が位置される逃げ空間２５が形成されれている。
【００２９】
図１７〜図１９は、セレクトバー１３とシリンダ装置１５との別の連結手法を示すものであり、図１R>１〜図１６で示されるものと同一構成要素には同一符合を付してある。すなわち、連結機構１４が、シリンダ装置１５の駆動軸１５ａに固定される連結部材３２を有するが、この連結部材３２とセレクトバー１３の後端部とが、略水平方向に伸びる連結ピン３４を介して連結、つまりセレクトバー１３が上下方向に揺動可能に連結されている。これにより、セレクトバー１３を、その退出ストロ−ク端において、連結ピン３４を中心としてその先端部が上方へ向うように揺動させることによって、セレクトバー１３に邪魔されることなく、パンチ３をばね座部材９と共にリテーナ本体４から取り外すことができる。
【００３０】
連結部材３２とセレクトバー１３との連結部分についてより詳細に説明すると、セレクトバー１３の後端部には、間に逃げ空間３５を形成するようにして左右一対の２又状突起部３６、３７が形成されて、この突起部３６と３７との間つまり逃げ空間３５に、連結部材３２の先端部が位置されている。そして、連結部材３２の先端部に形成された連結孔３８を連結ピン３４が貫通して、連結ピン３４の各端部が、各突起部３６、３７に形成されて取付孔３９に嵌合されている。好ましくは、連結ピン３４は、連結部材３２の連結孔３８に対してセレクトバー１３の長手方向に若干隙間を有するようにされて、シリンダ装置１５からの打抜可能位置へ向けての押圧力が、連結ピン３４を介することなく、連結部材３２からセレクトバー１３へと直接伝達されるようにされる（図１９参照）。
【００３１】
なお、リタ−ンスプリング１１を、図１、図１６では簡略的に示してあるが、その下端部のみを収納凹部１０にきつく嵌合される大径部とする一方、その他の部分をばね収納凹部１０よりも十分に径の小さい小径部としておくことにより、パンチ３の交換等のときにスプリング１１が不用意にリテーナ２から脱落しないようにすることができる。また、図２において、４１はリテーナ２（リテーナ本体４）の上金型１に対する位置決めを行う位置決めピン用の取付孔であり、４２はリテーナ２（リテーナ本体４）を上金型１に固定するためのボルトの挿通孔であり、４３はバッキングプレ−ト５をリテーナ本体４に固定するためのボルト孔である。
【００３２】
以上実施の形態について説明したが、本発明はこれに限らず、例えば次のような場合をも含むものである。別途連結部材２２を用いることなく、連結ピン２４あるいは３４によって、駆動軸１５ａとセレクトバー１３とを直接連結するようにしてもよい。
【００３３】
図１０〜図１６の例において、連結ピン２４をセレクトバー１３側に固定して、連結ピン２４を孔２３に対して係脱させるようにしてもよい。この場合、孔２３をセレクトバー１３の往復方向に細長く形成しておくことにより、セレクトバー１３に対する進出方向の押圧力が連結ピン２４に作用しないようにすることができる。
【００３４】
図１７〜図１９に示す例において、連結ピン３４を連結部材２２にがたつきなく固定して、連結ピン３４をセレクトバー１３（の孔３９）に対して回動するようにしてもよい。この場合、孔３９を、セレクトバー１３の往復方向に細長く形成することにより、セレクトバー１３に対する進出方向の押圧力が連結ピン３４に作用しないようにすることができる。なお、本発明の目的は、明記されたものに限らず、実質的に好ましいあるいは利点として記載された内容のものを提供することをも暗黙的に含むものである。
【図面の簡単な説明】
【図１】本発明の一実施形態を示すもので、パンチが打抜可能位置にあるときの側面断面図。
【図２】図１の状態からバッキングプレ−トを取り外して見たときの上面図。
【図３】図２の状態からセレクトバー、パンチ、ばね座部材を取り外して見たときの要部上面図。
【図４】打抜加工部の断面形状が異形状とされたパンチの一例を示すもので、図５の右側面図。
【図５】図４の右側面図。
【図６】図４の上面図。
【図７】ばね座部材の平面図。
【図８】ばね座部材の側面図。
【図９】位置決め用ピンとばね座部材に形成された位置決め用凹部との嵌合状態を示す拡大平面図。
【図１０】セレクトバーの一部断面側面図。
【図１１】図１０の底面図。
【図１２】図１０の右側面図。
【図１３】連結部材の平面図。
【図１４】連結部材と連結ピンとセレクトバーとの連結関係を示す一部断面分解図。
【図１５】連結部材と連結ピンとセレクトバーとの連結関係を示す一部断面側面図。
【図１６】セレクトバーが退出位置にあるときの状態およびセレクトバーのリテーナからの取り外しを示す側面断面図。
【図１７】セレクトバーとシリンダ装置との別の連結関係を示す一部断面側面図。
【図１８】図１７の一部断面平面図。
【図１９】図１７、図１８に示すものにおいて、連結部材によってセレクトバーを進出位置へ向けて押圧しているときの様子を詳細に示す一部断面拡大側面図。
【符合の説明】
１：上金型
２：リテーナ
３：パンチ
３ａ：中間軸部
３ｃ：大径頭部
４：リテーナ本体
５：バッキングプレ−ト
６：サイドプレ−ト
７：ガイド孔
８：収納空間
９：ばね座部材
１１：リタ−ンスプリング
１２：ガイド溝
１３：セレクトバー
１３ａ：突起部
１４：連結機構
１５：アクチュエ−タ
１５ａ：駆動軸
２２：連結部材
２２ａ：ねじ部
２１：連結孔
２３：取付孔（連結孔）
２４：連結ピン（ピン部材）
３２：連結部材
３４：連結ピン（ピン部材）
３８：連結孔
３９：取付孔（連結孔）
Ｌ２：隙間（遊び）
【図１】
0003761659.tif 000002
【図２】
0003761659.tif 000003
【図３】
0003761659.tif 000004
【図４】
0003761659.tif 000005
【図５】
0003761659.tif 000006
【図６】
0003761659.tif 000007
【図７】
0003761659.tif 000008
【図８】
0003761659.tif 000009
【図９】
0003761659.tif 000010
【図１０】
0003761659.tif 000011
【図１１】
0003761659.tif 000012
【図１２】
0003761659.tif 000013
【図１３】
0003761659.tif 000014
【図１４】
0003761659.tif 000015
【図１５】
0003761659.tif 000016
【図１６】
0003761659.tif 000017
【図１７】
0003761659.tif 000018
【図１８】
0003761659.tif 000019
【図１９】
0003761659.tif 000020